(57)【要約】【課題】使用済注射針（以下針と称す）は針先及び付着血液などで取扱上に危険が伴い、その廃棄処理が重要視されている。針を使用現場で使用直後に自動的に安全化処理する方法と処理機を提供する。【解決手段】周壁内側のブレード（１９）と底面の同心円周上に設けた直立するピン（２３）とブレード（２２）を付けた曲壁面（２１）を内蔵し底にモーター軸貫通孔（１７）及び針排出口（１８）を切り抜いた固定シャーレ（２）と針受入口（１１）及び熱風吹込み口（１２）のあるシャーレの蓋（３）とシャーレ底内面に摺接し片欠き円弧を切り欠いだモーターで回転する円盤（１）とで構成する円盤の回転に伴い同形状のままで回転方向に移行する針保持室（１０）に針を投下し、操作スイッチをＯＮにすれば針保持室にヒーターから熱風が吹込み高温雰囲気中で針を滅菌しながら同時に円盤が回転を始め円盤の垂直切り欠ぎ壁面（１４）で針を周壁、ブレード、ピン及び曲壁面に押圧しながら自動的に針先から茄子形状に根元へ折り返し曲げ針排出口（１８）から収集ケースに送出する安全化処理方法と処理機。【選択図】  図１
2005058717.tif 000002
【特許請求の範囲】
【請求項１】
使用済注射針（以下針と称す）を投下したシャーレ（２）とその底内面に摺接し回転する円盤（１）とシャーレの蓋（３）とで形成する針保持室（１０）に熱風を吹き込み滅菌しながら高温の雰囲気中で円盤の回転で自動的に針先から茄子形状に根元へ折り返し曲げ安全化して排出する使用済注射針の安全化処理方法。
【請求項２】
自動的に針先から茄子形状に根元へ折り返し曲げる使用済注射針の安全化処理方法。
【請求項３】
周壁内側に設けた底面に垂直な１又は複数のブレード（１９）と底面の同心円周上に直立する１又は複数個のピン（２３）とブレード（２２）を付けた曲面壁（２１）とを内蔵し、底面に排出口（１８）及びモーター軸貫通口（１７）を切り抜いた固定して使用の丸型シャーレ（２）とその底内面に摺接する片欠き円弧１又は複数個を切り欠ぎしたモーター駆動で回転する円盤（１）と針受入口（１１）と熱風吹き込み開口部（１２）のあるシャーレの蓋（３）及びヒーターとモーターとで主要部を構成する使用済注射針の安全化処理機。
【請求項４】
シャーレ（２）の周壁と底面および円盤（１）の切欠ぎ部分と蓋（３）とで形成された投入針保持室（１０）が円盤の回転に従って同形状のままで円盤の回転方向に移動し、室内に投下された針（２４）が回転方向に垂直な円盤の切欠ぎ面（１４）に押圧されながら回転の進行で円盤下から現れるピン（２３）ブレード（１９）及び曲面壁（２１）に摺接しながら針先から茄子形状に根元へ折り返し曲げられ排出口（１８）から収集ケースに送出される機能を有する使用済注射針の安全化処理機。
【請求項５】
円盤（１）の停止時にはカムとリレー又はステッピングモーターなどを使用してシャーレ（２）の底内面に直立するピン（２３）及び曲面壁とブレードは円盤下に隠れた状態にあり、円盤の回転に従って針保持室（１０）に現れるように円盤下面に同心円の溝や空隙を設けた構造を有する使用済注射針の安全化処理機。
【請求項６】
円盤（１）が操作スイッチＯＮで停止位置から回転を始めると自動的にヒーターから熱風が針保持室（１０）に吹込み、請求項３記載の工程を経て排出終了後に自動的にヒーターはＯＦＦとなり円盤は定位置で停止し、続いて針１本ずつ投入毎に操作スイッチＯＮで同じ工程を繰り返すことが出来る使用済注射針の安全化処理機。
【請求項７】
針の滑落に適した傾角度で針先を下にして投入口から安全に確実に投下出来る導管を組み込んだ使用済注射針の安全化処理機。
【発明の詳細な説明】
【技術分野】
【０００１】使用済注射針（以下針と称す）の廃棄処理には取扱上危険が伴うので現在は使用後に現場で金属ケースに入れ、特定の収納箱に集めたものを認可を持つ特定の産業廃棄物処理業者が引き取り電気炉工場で溶解処理をしている。
【背景技術】
【０００２】最近のニュースとして使用後の針先の危険を除くために針先を高電圧でスパークさせ先端を潰す処理方法が報道された。
【発明の開示】
【発明が解決しようとする課題】
【０００３】本発明では針を使用する現場で、使用直後に使用者によって短時間に自動的に安全化し、その後の保管や収集作業での取扱が安全で容易にできるようにした。
【課題を解決するための手段】
【０００４】本発明は針使用現場で使用直後の針を発明の処理機の針投入口に針先を下にして投下すれば針（２４）は導管を滑落し針保持室（１０）に図６の状態で収まる、操作スイッチＯＮでヒーターから３５０〜４００℃の熱風を吹き込み、針（２４）を高温の雰囲気中で滅菌しながら同時に円盤（１）が周速１０ｍｍ／秒程度の速度で回転し針を回転方向に押圧しながらピン（２３）やブレード及び局面壁などとの摺接によって針は自動的に針先から茄子形状に根元へ折返し曲がり、針先の危険性をも排除し安全化して収集ケースに送り込む機能と機構を持つ使用済注射針の安全化処理機である。
【発明の効果】
【０００５】本発明の機械は病院などの針使用の現場に設置し使用後の針を処理機の投入口に投下し操作スイッチＯＮで爾後は自動的に安全化され収集ケース収まる。従って取扱による事故を未然に防止出来、且つ処理した針を安全に保管できるのでストック量を増し業者の回収の回数を減らすことが出来、経済的でもある。
【発明を実施するための最良の形態】
【実施例】
【０００６】回転円盤（１）の切欠き部分（１３）２個で、円盤は逆時計回わりの場合の図面で説明します。投入口に針先を下向きにして投下した針（２４）は適合傾角の導管を滑落し針保持室（１０）に図５に示す様に納まる、円盤（１）の停止位置設定にはカムやステッピングモーターを組込み、停止の位置ではブレード（１９）、ピン（２３）や曲壁面（２１）が常に円盤の下に隠れ円盤の回転に伴って針保持室に現れる。操作スイッチＯＮで針保持室にヒーターから３５０〜４００℃の熱風が吹込み、同時に円盤が周速毎秒１０ｍｍ程度の速度で回転を始める、円盤斜視図（図３）で説明の如く回転方向に直角な片切欠ぎ円弧の壁面（１４）が円盤の回転に伴って針の付け根を回転方向に押圧し針保持室に現れるブレードやピン及びシャーレの周壁と摺接しながら高温の雰囲気の中で針先から徐々に茄子形状に根元に折り返し曲げられ排出口（１８）から収集ケースに送出される。円盤の片切欠き円弧の部分が２個の場合は１回転で針２本を処理でき、４個の場合には４本でき、針の熱処理時間は３〜４秒程度である。円盤の大きさや熱風の温度条件により針の処理本数を増すことは可能である。
【産業上の利用可能性】
【０００７】病院などで小型の装置としてテーブル上に置いて使用するものであるが、回転円盤を大きくし切欠き部分を増せば１回転での処理本数を増すことは容易である。
【図面の簡単な説明】
【０００８】
【図１】  各部品の組立位置関係を示す説明用断面図。
【図２】  シャーレの蓋（３）の斜視図
【図３】  回転円盤（１）の斜視図
【図４】  シャーレ（２）の斜視図
【図５】  針保持室（１０）に投下された針が収まった状態の平面説明図
【図６】  円盤が図５の位置から約３０度回転した時の平面説明図
【図７】  円盤が図５の位置から約６０度回転した時の平面説明図
【図８】  円盤が図５の位置から約９０度回転し針が茄子型状に曲がり排出口より送出寸前の平面説明図
【符号の説明】
【０００９】  １    回転円盤
２    シャーレ
３    シャーレの蓋
４    カム（回転盤用）
５    カム（ヒーター用）
６    回転モーター
７    モーター軸
８    シャーレ固定台
９    モーター取付け台
１０  針保持室
１１  シャーレ蓋の針受入口
１２  シャーレ蓋の熱風受入口
１３  円盤の切欠き面
１４  円盤の回転方向に垂直な切欠き面
１５  モーター軸取付け穴
１６  円盤下面に設けた同心円周上の溝
１７  モーター軸貫通穴
１８  シャーレ底の廃棄口
１９  周壁面
２０  周壁面のブレード
２１  曲面壁
２２  曲面壁のブレード
２３  ピン
２４  使用済注射針
２５  処理済落下直前の針
２６  針投入用導管
【図１】
2005058717.tif 000003
【図２】
2005058717.tif 000004
【図３】
2005058717.tif 000005
【図４】
2005058717.tif 000006
【図５】
2005058717.tif 000007
【図６】
2005058717.tif 000008
【図７】
2005058717.tif 000009
【図８】
2005058717.tif 000010